(57)【要約】【課題】空気調和機の快適性と経済性とを両立させる。【解決手段】実施形態に係るサーバ（１）は、端末装置の位置を示す位置情報を取得する位置情報取得部（１３）と、取得した位置情報に基づいて算出された空気調和機の設置場所から端末装置までの距離に応じて、空気調和機の電流制限値を変更する空調制御部（１６）とを備える。【選択図】図１
2018194208.tif 000002
【特許請求の範囲】
【請求項１】
空気調和機の設置場所から端末装置までの距離に応じて上記空気調和機の動作を制御する制御装置であって、
上記端末装置の位置を示す位置情報を取得する位置情報取得部と、
上記位置情報に基づいて算出された上記距離に応じて、上記空気調和機の設定温度、および、空調に用いる電流の上限値である電流制限値の少なくともいずれかを変更する空調制御部と、を備えていることを特徴とする制御装置。
【請求項２】
上記空調制御部は、上記距離が第１所定範囲内となったとき、上記空気調和機の運転を開始させ、その後、上記変更を行うことを特徴とする請求項１に記載の制御装置。
【請求項３】
上記空調制御部は、上記距離が上記第１所定範囲よりも狭い第２所定範囲内となったとき、上記変更を停止し、上記距離が上記第２所定範囲外となったときに上記変更を再開することを特徴とする請求項２に記載の制御装置。
【請求項４】
空気調和機の設置場所から端末装置までの距離に応じて上記空気調和機の動作を制御する制御装置の制御方法であって、
上記端末装置の位置を示す位置情報を取得する位置情報取得ステップと、
上記位置情報に基づいて算出された上記距離に応じて、上記空気調和機の設定温度、および、空調に用いる電流の上限値である電流制限値の少なくともいずれかを変更する空調制御ステップと、を含んでいることを特徴とする制御方法。
【請求項５】
自機の運転を開始してから第１所定期間後に、空調に用いる電流の上限値である電流制限値を、運転開始時の値より小さくする電流制限値制御部を備えていることを特徴とする空気調和機。
【請求項６】
上記空気調和機が設置されている設置場所における外気温度または室内温度と、上記空気調和機の設定温度との差に基づいて、上記第１所定期間の長さを補正する第１期間補正部をさらに備えていることを特徴とする請求項５に記載の空気調和機。
【請求項７】
上記空気調和機が設置されている設置場所における外気温度または室内温度と、上記空気調和機の設定温度との差に基づいて、運転開始時の電流制限値を補正する第１制限値補正部をさらに備えていることを特徴とする請求項５または６に記載の空気調和機。
【請求項８】
空気調和機の制御方法であって、
上記空気調和機の運転を開始してから所定期間後に、空調に用いる電流の上限値である電流制限値を、運転開始時の値より小さくする電流制限値制御ステップを含んでいることを特徴とする制御方法。
【発明の詳細な説明】
【技術分野】
【０００１】
本発明は、空気調和機を動作制御する制御装置等に関する。
【背景技術】
【０００２】
空気調和機を遠隔操作する技術として、例えば下記の特許文献１が挙げられる。特許文献１には、スマートフォンなどの端末装置を用いて、外出先から空気調和機の運転を開始させる技術が開示されている。特許文献１によれば、帰宅前に自宅の空気調和機の運転を開始させることにより、帰宅時に室内が快適な環境となるようにすることが可能になる。
【０００３】
また、空気調和機の消費電力を削減する技術として、消費電力の上限値（電流制限値）を設定し、電流制限値を超えない範囲で空気調和機を動作させる技術が知られている（例えば下記特許文献２）。
【先行技術文献】
【特許文献】
【０００４】
【特許文献１】特開２０１５−１３２４４９号公報（２０１５年７月２３日公開）
【特許文献２】特開２０１３−１６４１９２号公報（２０１３年８月２２日公開）
【発明の概要】
【発明が解決しようとする課題】
【０００５】
しかしながら、従来の技術では、外出先から空気調和機の運転を開始させた場合、運転開始からユーザが帰宅するまでの間の空気調和機の消費電力量が嵩むという問題がある。そこで、特許文献２の技術を利用して、電流制限値を設定することにより、消費電力量を抑えることが考えられるが、電流制限値を設定した場合、空気調和機の空調能力が限定されてしまうため、ユーザが帰宅したときに室内が快適な状態とならない可能性がある。
【０００６】
本発明は、上記の問題点に鑑みてなされたものであり、その目的は、空気調和機の快適性と経済性とを両立させることができる、空気調和機の制御装置等を提供することにある。
【課題を解決するための手段】
【０００７】
上記の課題を解決するために、本発明の一態様に係る制御装置は、空気調和機の設置場所から端末装置までの距離に応じて上記空気調和機の動作を制御する制御装置であって、上記端末装置の位置を示す位置情報を取得する位置情報取得部と、上記位置情報に基づいて算出された上記距離に応じて、上記空気調和機の設定温度、および、空調に用いる電流の上限値である電流制限値の少なくともいずれかを変更する空調制御部と、を備えている。
【０００８】
上記の課題を解決するために、本発明の一態様に係る制御方法は、空気調和機の設置場所から端末装置までの距離に応じて上記空気調和機の動作を制御する制御装置の制御方法であって、上記端末装置の位置を示す位置情報を取得する位置情報取得ステップと、上記位置情報に基づいて算出された上記距離に応じて、上記空気調和機の設定温度、および、空調に用いる電流の上限値である電流制限値の少なくともいずれかを変更する空調制御ステップと、を含んでいる。
【０００９】
上記の課題を解決するために、本発明の一態様に係る制御装置は、空気調和機の設置場所から端末装置までの距離に応じて上記空気調和機の動作を制御する制御装置であって、  上記端末装置の位置を示す位置情報を取得する位置情報取得部と、上記位置情報に基づいて算出された上記距離が所定範囲内となったとき、上記空気調和機の運転を開始させる空調制御部と、上記設置場所における外気温度または室内温度と、上記空気調和機の設定温度との差に基づいて、上記所定範囲を補正する範囲補正部と、を備えている。
【００１０】
上記の課題を解決するために、本発明の一態様に係る制御方法は、空気調和機の設置場所から端末装置までの距離に応じて上記空気調和機の動作を制御する制御装置の制御方法であって、上記端末装置の位置を示す位置情報を取得する位置情報取得ステップと、上記位置情報に基づいて算出された上記距離が所定範囲内となったとき、上記空気調和機の運転を開始させる空調制御ステップと、上記設置場所における外気温度または室内温度と、上記空気調和機の設定温度との差に基づいて、上記所定範囲を補正する範囲補正ステップと、を含んでいる。
【００１１】
上記の課題を解決するために、本発明の一態様に係る空気調和機は、自機の運転を開始してから第１所定期間後に、空調に用いる電流の上限値である電流制限値を、運転開始時の値より小さくする電流制限値制御部を備えている。
【００１２】
上記の課題を解決するために、本発明の一態様に係る制御方法は、空気調和機の制御方法であって、上記空気調和機の運転を開始してから所定期間後に、空調に用いる電流の上限値である電流制限値を、運転開始時の値より小さくする電流制限値制御ステップを含んでいる。
【発明の効果】
【００１３】
本発明の一態様によれば、空気調和機の快適性と経済性とを両立させることができるという効果を奏する。
【図面の簡単な説明】
【００１４】
【図１】本発明の実施形態１に係るサーバの構成を示すブロック図である。
【図２】上記サーバを含む遠隔操作システムの構成を示す図である。
【図３】上記サーバが実行する処理の一例を示すフローチャートである。
【図４】上記サーバが実行する空気調和機の電流制限値の制御の一例を示すグラフである。
【図５】本発明の実施形態２に係るサーバが実行する処理の一例を示すフローチャートである。
【図６】上記サーバが実行する空気調和機の電流制限値の制御の一例を示すグラフである。
【図７】本発明の実施形態３に係るサーバによる空気調和機の電流制限値の制御の一例を示すグラフである。
【図８】本発明の実施形態４に係る空気調和機の構成を示すブロック図である。
【図９】上記空気調和機の電流制限値の制御の一例を示すグラフである。
【図１０】上記空気調和機が実行する処理の一例を説明するフローチャートである。
【図１１】上記空気調和機が実行する処理の他の一例を説明するフローチャートである。
【図１２】上記空気調和機が備える制限値補正部および期間補正部における補正処理の一例を示すグラフである。
【図１３】上記空気調和機が端末装置に表示させる電流制限値に関する履歴情報の一例を示すグラフである。
【発明を実施するための形態】
【００１５】
以下、本発明の実施形態について詳細に説明する。ただし、本実施形態に記載されている構成は、特に特定的な記載がない限り、この発明の範囲をそれのみに限定する趣旨ではなく、単なる説明例に過ぎない。
【００１６】
〔実施形態１〕
〔システム概要〕
本実施形態に係る空調制御システム１００について図２を参照して説明する。図２は、本実施形態に係る空調制御システム１００の構成を示す図である。図２に示すように、空調制御システム１００は、サーバ（制御装置）１、端末装置２、ルータ３および空気調和機４を含む。
【００１７】
空調制御システム１００は、自宅（設置場所）５に設置された空気調和機４の動作を、自宅５から端末装置２までの距離Ｄに応じて自動制御することを可能にしたシステムである。ユーザに所持される端末装置２は、端末装置２の位置を示す位置情報を送信し、この位置情報は、通信ネットワークを介してサーバ１に受信される。そして、サーバ１は、位置情報に基づいて算出した距離Ｄに応じて、通信ネットワークおよびルータ３を介して、空気調和機６の動作を制御する。この結果、自宅５から所定の制御距離の範囲内に端末装置２が位置する場合、自宅５から端末装置２までの距離Ｄに応じて、空気調和機４の制御が自動で行われる。
【００１８】
サーバ１は、上述のように、端末装置２から送信される位置情報に基づいて、距離Ｄに応じた空気調和機４の制御を行う。サーバ１の詳細は後述する。また、端末装置２は、端末装置２の位置情報をサーバ１へ送信する装置である。これにより、サーバ１は、外出先のユーザの位置を特定することが可能となる。端末装置２は携帯型の装置であることが好ましい。例えば、端末装置２は、スマートフォン、タブレット端末、およびノートパソコン等であってもよい。
【００１９】
ルータ３は、空気調和機４が設置された自宅５のネットワークにおいてデータを中継する中継装置である。上述のように、サーバ１からの制御信号は、空気調和機４に対して送信される。このため、ルータ３は、サーバ１からの制御信号を、空気調和機４にルーティングする。
【００２０】
空気調和機４は、被空調空間の空調を行う装置である。本実施形態では、空気調和機４が、被空調空間を暖房または冷房するいわゆるエアコンの室内機である例を説明する。なお、空気調和機４は、被空調空間の空調を行う装置であればよく、エアコンに限られない。例えば、空気清浄機等であってもよい。
【００２１】
なお、上述の通信ネットワークは各機器間で通信が可能なネットワークであればよく、特に限定されない。また、各機器間の通信に利用する通信ネットワークは全て同じものであってもよいし、異なる通信ネットワークを利用してもよい。
【００２２】
〔サーバの要部構成〕
サーバ１の詳細について図１を参照して説明する。図１は、本実施形態に係るサーバ１の構成を示すブロック図である。図１に示すように、サーバ１は、サーバ１の各部を統括して制御する制御部１０、サーバ１が使用する各種データを記憶する記憶部１１、および通信部１２を備えている。
【００２３】
制御部１０は、位置情報取得部１３、距離算出部１４、変更制御範囲補正部（範囲補正部）１５、および空調制御部１６を備えている。
【００２４】
記憶部１１には、自宅位置情報１７、および距離情報１８などが記憶されている。自宅位置情報１７は、空気調和機４の設置場所の位置に関する情報であり、自宅５の緯度・経度を示す情報などを含んでいる。距離情報１８は、距離Ｄに応じてサーバ１が空気調和機４を制御に使用される距離に関する情報であり、サーバ１が空気調和機４の制御を行う自宅５からの距離範囲である変更制御範囲ｄなどを含んでいる。例えば、変更制御範囲ｄの下限値ｄ１として３０ｍ、上限値ｄ２として５００ｍが設定されている場合、サーバ１は、自宅５から半径３０ｍ以上５００ｍ以下の変更制御範囲ｄ内に端末装置２が位置する場合、距離Ｄに応じて、空気調和機４の設定温度または電流制限値を変更する変更制御処理を実行する。
【００２５】
なお、これらの情報は、例えばユーザ操作に従って設定可能であってもよい。つまり、ユーザは、端末装置２などを使用してサーバ１にアクセスし、自宅位置情報１７、および距離情報１８を任意に変更することができる。
【００２６】
通信部１２は、サーバ１が他の装置と通信するためのものである。具体的には、端末装置２、および空気調和機４との通信が通信部１２を介して行われる。なお、端末装置２との通信を行うための通信部と、空気調和機６との通信を行うための通信部とを個別に設けてもよい。
【００２７】
位置情報取得部１３は、端末装置２から送信された位置情報を取得する。具体的には、位置情報取得部１３は、外出したユーザが所持する端末装置２から送信される位置情報を、通信部１２を介して取得する。この位置情報は、例えばＧＰＳ（Global Positioning System）を利用する等して取得した緯度・経度情報であってもよい。位置情報取得部１３は、取得した位置情報を、距離算出部１４へ出力する。
【００２８】
距離算出部１４は、位置情報取得部１３によって取得された位置情報に基づいて、自宅５から端末装置２までの距離Ｄを算出する。具体的には、距離算出部１４は、位置情報取得部１３から出力された位置情報と、記憶部１１に記憶された自宅位置情報１７とに基づいて、自宅５から端末装置２までの距離Ｄを算出する。距離算出部１４は、算出した距離Ｄを空調制御部１６へ出力する。
【００２９】
変更制御範囲補正部１５は、記憶部１１から読み出した変更制御範囲ｄを補正する。具体的には、変更制御範囲補正部１５は、自宅５の周辺の外気温度または自宅５の室内温度と、空気調和機４の設定温度との差に基づいて、変更制御範囲ｄを補正する。変更制御範囲補正部１５は、空気調和機４から、外気温度、室内温度、および設定温度に関する情報を、通信部１２を介して取得してもよい。変更制御範囲補正部１５は、補正した変更制御範囲ｄを、空調制御部１６へ出力する。
【００３０】
空調制御部１６は、距離算出部１４によって算出された距離Ｄと、変更制御範囲補正部１５によって補正された変更制御範囲ｄとに基づいて、空気調和機４を制御する。具体的には、空調制御部１６は、距離Ｄに基づいて、変更制御範囲ｄに端末装置２が位置するか否かを判定する。変更制御範囲ｄに端末装置２が位置する場合、空調制御部１６は、距離Ｄに応じて、空気調和機４を制御する。
【００３１】
例えば、空調制御部１６は、距離Ｄが変更制御範囲ｄの上限値ｄ２以下になった場合、空気調和機４の運転を開始させる制御信号を生成する。また、空調制御部１６は、距離Ｄに応じて、空気調和機４の設定温度または電流制限値を変更する制御信号を生成する。空調制御部１６は、生成した制御信号を、通信部１２を介して空気調和機４へ送信する。
【００３２】
なお、空調制御部１６は、変更制御範囲ｄとして、記憶部１１に記載された変更制御範囲ｄを直接読み出して、空気調和機４を制御してもよい。
【００３３】
〔空調制御方法〕
本実施形態における空気調和機４の制御方法の一例について、図３および図４を参照して説明する。図３は、サーバ１が実行する処理（制御方法）の一例を説明するフローチャートである。このフローチャートは、距離Ｄが変更制御範囲ｄの上限値ｄ２以下になった場合、空気調和機４の運転を開始し、距離Ｄに応じて電流制限値を変更する制御を示している。
【００３４】
この制御において、まず、位置情報取得部１３は、外出中のユーザが所持する端末装置２から送信される位置情報を、通信部１２を介して取得する（Ｓ１：位置情報取得ステップ）。位置情報取得部１３は、取得した位置情報を距離算出部１４へ出力する。
【００３５】
次に、距離算出部１４は、位置情報取得部１３から出力された位置情報と、記憶部１１から読み出した自宅位置情報１７とに基づいて、自宅５から端末装置２までの距離Ｄを算出する（Ｓ２）。距離算出部１４は、算出した距離Ｄを空調制御部１６へ出力する。
【００３６】
次に、変更制御範囲補正部１５は、空気調和機４から、自宅５周辺の外気温度または自宅５の室内温度、および空気調和機４の設定温度などの温度情報を、通信部１２を介して取得する（Ｓ３）。
【００３７】
次に、変更制御範囲補正部１５は、外気温度と設定温度との差、または室内温度と設定温度との差に基づいて、記憶部１１から読み出した変更制御範囲ｄを補正する（Ｓ４：範囲補正ステップ）。変更制御範囲補正部１５は、例えば上記差の絶対値が所定の閾値より小さい場合、変更制御範囲ｄが小さくなるように上限値ｄ２を補正する。上記差が小さい場合、空気調和機４の運転開始から設定温度に到達するまでの所要時間が、上記差が大きい場合よりも短くなる。このため、変更制御範囲ｄが小さくなるように補正して、空気調和機４の運転開始地点を自宅５に近づけたとしても、ユーザの帰宅時までに室内温度を設定温度に近づけることが可能となる。これにより、空気調和機４の消費電力を抑えつつ、ユーザの帰宅時に室内を快適な環境にすることができる。
【００３８】
次に、空調制御部１６は、距離算出部１４から出力された距離Ｄと、変更制御範囲補正部１５から出力された変更制御範囲ｄとに基づいて、距離Ｄが、変更制御範囲ｄの上限値ｄ２以下になったか否かを判定する（Ｓ５）。距離Ｄが上限値ｄ２よりも大きい場合（Ｓ５でＮＯ）、空調制御部１６は、この判定を継続する。一方、距離Ｄが上限値ｄ２以下になった場合（Ｓ５でＹＥＳ）、空調制御部１６は、空気調和機４の電源をＯＮにし、運転を開始させる（Ｓ６）。具体的には、空調制御部１６は、空気調和機４の電源をＯＮにする制御信号を生成し、生成した制御制御信号を、通信部１２を介して空気調和機４へ送信する。
【００３９】
次に、空調制御部１６は、空気調和機４の運転開始後、距離算出部１４によって出力された距離Ｄに応じて、空気調和機４の電流制限値を変更する（Ｓ７：空調制御ステップ）。具体的には、空調制御部１６は、距離Ｄが短く（小さく）なりユーザが自宅５に近づくに応じて、空気調和機４の電流制限値が高くなるように、連続的または段階的に変更電流制限値を変更する。なお、このＳ７にて、空調制御部１６は、自宅５における外気温度に基づいて、空気調和機４の設定温度または電流制限値を補正してもよい。
【００４０】
図４は、空気調和機４の電流制限値の制御の一例を示すグラフである。この図では、空調制御部１６は、空気調和機４の電流制限値を電流制限値ａから電流制限値ｂの間で変更する例を示している。
【００４１】
図４に示すように、距離Ｄが、変更制御範囲ｄの上限値ｄ２以下になった場合、空調制御部１６は、空気調和機４の電源をＯＮにし、空気調和機４の電流制限値を電流制限値ａに設定する。そして、ユーザが自宅５へさらに近づき、変更制御範囲ｄに設定された地点ｄ４から地点ｄ３まで距離Ｄが減少する間に、空調制御部１６は、電流制限値を電流制限値ａから電流制限値ｂまで高くする。なお、電流制限値を連続的あるいは段階的に高くする処理は、ｄ２の地点からｄ４の地点までの区間、およびｄ３の地点からｄ１の地点までの区間にも行ってもよい。
【００４２】
次に、空調制御部１６は、距離算出部１４から出力された距離Ｄと、変更制御範囲補正部１５から出力された変更制御範囲ｄとに基づいて、距離Ｄが、変更制御範囲ｄの下限値ｄ１未満になったか否かを判定する（Ｓ８）。距離Ｄが下限値ｄ１以上である場合（Ｓ８でＮＯ）、空調制御部１６は、Ｓ７へ戻る。一方、距離Ｄが下限値ｄ１未満になった場合（Ｓ８でＹＥＳ）、空調制御部１６は、変更制御処理を終了し、空気調和機４の電流制限値を一定にする。なお、電流制限を解除してもよい。
【００４３】
このように、空調制御部１６は、ユーザが自宅５に近づくに応じて、空気調和機４の電流制限値が大きくなように制御を行う。このため、ユーザが自宅５から遠い位置にいる間は、空気調和機４の消費電力を抑え、ユーザが自宅５に近づくに応じて空気調和機４の空調性能を高めて、室内温度を設定温度に近づけることができる。したがって、快適性と経済性とを両立させることができる。
【００４４】
なお、サーバ１の制御部１０に含まれる各部のうち少なくとも一部を、空気調和機４の制御部に設けてもよい。例えば、端末装置２から位置情報を取得して、自宅５から端末装置２までの距離を算出し、算出した距離を補正して、補正後の距離に応じて電流制限値を変更する処理を空気調和機４の備える制御部が実行する構成も本発明の範疇に含まれる。
【００４５】
また、本実施形態では、空調制御部１６は、距離Ｄに応じて、空気調和機４の電流制限値を変更する制御を説明したが、本発明はこの構成に限定されない。空調制御部１６は、距離Ｄに応じて、空気調和機４の設定温度を変更してもよい。具体的には、空気調和機４を冷房運転で電源ＯＮしたときには、ユーザが設定した設定温度よりも高い温度で運転を開始させ、距離Ｄが小さくなるにつれて設定温度を低くし、ユーザの自宅到着時にユーザの設定温度で冷房運転が行われるように制御してもよい。また、空気調和機４を暖房運転で電源ＯＮしたときには、ユーザが設定した設定温度よりも低い温度で運転を開始させ、距離Ｄが小さくなるにつれて設定温度を高くし、ユーザの自宅到着時にユーザの設定温度で暖房運転が行われるように制御してもよい。また、電流制限値の変更と、設定温度の変更とを併用してもよい。
【００４６】
また、空調制御部１６は、電流制限値の変更制御に関する情報を記憶部１１に履歴情報として記憶させておいてもよい。例えば、運転開始時の設定温度と室内温度（あるいは外気温度）と、電流制限値の変化のパターンと、ユーザの自宅到達時の設定温度と室内温度（あるいは外気温度）とを対応付けた履歴情報を記憶させておいても良い。そして、ユーザが帰宅した時点で、設定温度と室内温度との差が小さくなるように、履歴情報に基づいて、フィードバック制御してもよい。
〔実施形態２〕
本発明の他の実施形態について、図５および６に基づいて説明すれば、以下のとおりである。なお、説明の便宜上、前記実施形態にて説明した部材と同じ機能を有する部材については、同じ符号を付記し、その説明を省略する。
【００４７】
〔空調制御方法〕
図５は、サーバ１が実行する処理（制御方法）の一例を説明するフローチャートである。このフローチャートは、空気調和機４の運転中に、自宅５にいるユーザが一時的に外出した場合において、サーバ１が実行する制御を示している。したがって、以下では、空気調和機４はすでに運転を開始しており、また、距離Ｄに応じて電流制限値を変更する制御は行っていないことを前提として説明する。
【００４８】
この制御において、位置情報取得部１３は、外出したユーザが所持する端末装置２から送信される位置情報を、通信部１２を介して取得する（Ｓ１１）。位置情報取得部１３は、取得した位置情報を距離算出部１４へ出力する（位置情報取得ステップ）。
【００４９】
次に、距離算出部１４は、位置情報取得部１３から出力された位置情報と、記憶部１１に記憶された自宅位置情報１７とに基づいて、自宅５から端末装置２までの距離Ｄを算出する（Ｓ１２）。距離算出部１４は、算出した距離Ｄを空調制御部１６へ出力する。
【００５０】
次に、空調制御部１６は、距離算出部１４によって出力された距離Ｄと、記憶部１１から読み出した変更制御範囲ｄとに基づいて、距離Ｄが変更制御範囲ｄの下限値ｄ１以上になったか否かを判定する（Ｓ１３）。距離Ｄが下限値ｄ１未満である場合（Ｓ１３でＮＯ）、空調制御部１６は、この判定を継続する。一方、距離Ｄが下限値ｄ１以上になった場合（Ｓ１３でＹＥＳ）、空調制御部１６は、距離Ｄに応じて、空気調和機４の電流制限値を変更する処理を実行する（Ｓ１４）。
【００５１】
図６は、空気調和機４の電流制限値の制御の一例を示すグラフである。この図では、空調制御部１６は、空気調和機４の電流制限値を電流制限値ａから電流制限値ｂの間で変更する例を示している。
【００５２】
図６に示すように、外出したユーザが自宅５から遠ざかり、ｄ３の地点からｄ４の地点まで距離Ｄが増加する間に、空調制御部１６は、電流制限値を電流制限値ｂから電流制限値ａまで低くする。なお、電流制限値を連続的あるいは段階的に変更する処理は、ｄ１の地点からｄ３の地点まで、およびｄ４の地点からｄ２の地点までの区間にも行ってもよい。
【００５３】
次に、空調制御部１６は、距離算出部１４から出力された距離Ｄと、記憶部１１から読み出した変更制御範囲ｄとに基づいて、距離Ｄが、変更制御範囲ｄの上限値ｄ２を超えたか否かを判定する（Ｓ１５）。距離Ｄが下限値ｄ１以下である場合（Ｓ１５でＮＯ）、Ｓ１４へ戻る。一方、距離Ｄが上限値ｄ２を超えた場合（Ｓ１５でＹＥＳ）、空調制御部１６は、変更制御処理を終了し、空気調和機４の電流制限値を一定にする。なお、電流制限を解除してもよく、また空気調和機４の電源をＯＦＦにする制御を行ってもよい。
【００５４】
このように、空調制御部１６は、ユーザが自宅５から遠ざかるに応じて、空気調和機４の電流制限値が小さくなるように制御を行う。このため、ユーザが自宅５から一時的に離れたときの消費電力を抑えつつ、ユーザが自宅５に近い位置に居れば電流制限値を高めとすることができる。したがって、快適性と経済性とを両立させることができる。
【００５５】
なお、上述したフローチャートでは、空調制御部１６は、距離Ｄに応じて、空気調和機４の電流制限値を変更する制御を説明したが、本発明はこの構成に限定されない。空調制御部１６は、距離Ｄに応じて、空気調和機４の設定温度を変更してもよい。また、本実施形態においても実施形態１と同様に、変更制御範囲補正部１５による補正を行ってもよい。実施形態３以降も同様である。
【００５６】
〔実施形態３〕
本発明の他の実施形態について、図７に基づいて説明すれば、以下のとおりである。本実施形態では、時間経過に応じて電流制限値を変更する例を説明する。なお、説明の便宜上、前記実施形態にて説明した部材と同じ機能を有する部材については、同じ符号を付記し、その説明を省略する。
【００５７】
〔空調制御方法〕
図７（ａ）および（ｂ）は、サーバ１による空気調和機４の電流制限値の制御の一例を示すグラフである。図７の（ａ）は、ユーザが自宅から比較的に近い位置にいる場合の電流制限値の制御を示し、図７の（ｂ）は、端末装置２が自宅から遠い位置にいる場合の電流制限値の制御を示す。
【００５８】
図７の（ａ）および（ｂ）の例では、ユーザが所定の範囲内（上述の各実施形態における変更制御範囲ｄ）に留まっている期間、すなわち距離算出部１４が算出した距離Ｄが連続してｄ１≦Ｄ≦ｄ２の範囲である期間に応じて電流制限値を変更する。また、電流制限値の変更の態様を、ユーザが留まっている位置に応じて変えている。
【００５９】
７の（ａ）に示す、ユーザが自宅から比較的近い位置に留まっている場合と比べて、図７の（ｂ）に示す、ユーザが自宅から比較的に遠い位置に留まっている場合には、電流制限値が小さくなるように変更するタイミングが早い。
【００６０】
このように、ユーザの帰宅までの時間が短いと予想される、自宅近くでユーザが留まっている状況において、電流制限値を小さくするタイミングを遅くすることにより、帰宅時の快適性を担保し易くなる。また、帰宅までの時間が長いと予想される、自宅から遠い位置でユーザがとどまっている状況において、電流制限値を小さくするタイミングを早めることにより、空気調和機４の消費電力を抑えることができる。
【００６１】
なお、自宅から遠いか近いかは、所定の閾値と比較して判定すればよい。例えば、ｄ１≦Ｄ≦ｄ２の範囲に閾値を設定し、距離Ｄがその閾値未満であれば自宅から近いと判定し、閾値以上であれば自宅から遠いと判定してもよい。本実施形態の機能は、実施形態１の機能と独立に用いることもできるし、実施形態１の機能と併用することもできる。つまり、距離と時間の双方に応じて電流制限値を変更する構成も、距離または時間に応じて電流制限値を変更する構成も本発明の範疇に含まれる。
【００６２】
〔実施形態４〕
本発明の他の実施形態について、図８〜１３に基づいて説明すれば、以下のとおりである。なお、説明の便宜上、前記実施形態にて説明した部材と同じ機能を有する部材については、同じ符号を付記し、その説明を省略する。
【００６３】
本実施形態では、運転開始時または除霜運転終了時から段階的に電流制限値を変更することにより、快適性と経済性とを両立させた空気調和機の一例について説明する。
【００６４】
〔空気調和機の要部構成〕
本実施形態に係る空気調和機６の構成について図８を参照して説明する。図８は、本実施形態に係る空気調和機６の構成を示すブロック図である。この空気調和機６は上述した実施形態１で説明した空調制御システム１００の空気調和機４と同様に、自宅５に設置され、ルータ３を介して通信ネットワークに接続される。これにより、空気調和機６は、通信ネットワークを介して、サーバ１、および端末装置２と通信可能となっている。
【００６５】
空気調和機６は、被空調空間の空調を行う装置である。本実施形態では、空気調和機６が、被空調空間を暖房または冷房するいわゆるエアコンである例を説明する。なお、空気調和機６は、被空調空間の空調を行う装置であればよく、エアコンに限られない。例えば、空気清浄機等であってもよい。
【００６６】
なお、上述の通信ネットワークは各機器間で通信が可能なネットワークであればよく、特に限定されない。また、各機器間の通信に利用する通信ネットワークは全て同じものであってもよいし、異なる通信ネットワークを利用してもよい。
【００６７】
図８に示すように、空気調和機６は、空気調和機６の各部を統括して制御する制御部２０、空気調和機６が使用する各種データを記憶する記憶部２１、および通信部２２、室内の冷房、暖房などを行う空調部２３、室温センサ２４、および外気温センサ２５を備えている。
【００６８】
制御部２０は、制限値補正部２６、期間補正部２７、電流制限値制御部２８、および空調制御部２９を備えている。
【００６９】
記憶部２１には、空気調和機６（空調部２３）の電流制限を行うための第１電流制限値３０、第２電流制限値３１、および変更期間３２などが記憶されている。第１電流制限値３０は、第２電流制限値３１より大きい値となっている。また、変更期間３２は、第１電流制限値３０から第２電流制限値３１へ、空気調和機６の電流制限値を変更する期間である。なお、記憶部２１に記憶されている情報は、例えばユーザ操作に従って設定可能であってもよい。つまり、ユーザは、リモコンなどを使用して第１電流制限値３０および第２電流制限値３１の値を任意に変更することができる。
【００７０】
通信部２２は、空気調和機６が他の装置と通信するためのものである。具体的には、端末装置２、およびサーバ１との通信が通信部２２を介して行われる。
【００７１】
室温センサ２４は、空気調和機６が設置されている部屋の室内温度を検出する。室温センサ２４は、検出した室内温度を制御部２０へ出力する。
【００７２】
外気温センサ２５は、空気調和機６の設置場所である自宅５における外気温度を検出する。外気温センサ２５は、検出した室内温度を制御部２０へ出力する。この外気温センサは、空気調和機６の室外機に配置されていてもよい。
【００７３】
制限値補正部（第１制限値補正部、第２制限値補正部）２６は、記憶部２１から読み出した第１電流制限値３０を補正する。具体的には、制限値補正部２６は、外気温センサ２５から取得した外気温度と、空調制御部２９から取得した空気調和機６の設定温度の差、または室温センサ２４から取得した室内温度と設定温度との差に基づいて、第１電流制限値３０を補正する。例えば、上記差の絶対値が所定の閾値より小さい場合、第１電流制限値３０が小さくなるように第１電流制限値３０を補正する。制限値補正部２６は、補正した第１電流制限値３０を、電流制限値制御部２８へ出力する。
【００７４】
期間補正部（第１期間補正部・第２期間補正部）２７は、記憶部２１から読み出した変更期間３２を補正する。具体的には、期間補正部２７は、外気温センサ２５から取得した外気温度と、空調制御部２９から取得した空気調和機６の設定温度の差、または室温センサ２４から取得した室内温度と設定温度との差に基づいて、変更期間３２を補正する。例えば、上記差の絶対値が所定の閾値より小さい場合、変更期間３２が短くなるように変更期間３２を補正する。期間補正部２７は、補正した変更期間３２を、電流制限値制御部２８へ出力する。
【００７５】
電流制限値制御部２８は、空気調和機６の電流制限値を変更する制御を行う。具体的には、電流制限値制御部２８は、空気調和機６の運転開始時に、第１電流制限値３０を用いることを決定する。また、電流制限値制御部２８は、第１電流制限値３０を用いることを決定した後、変更期間３２に示される期間（第１所定期間）が経過したときに、電流制限値を記憶部２１から読み出した第２電流制限値に変更する。上述のように、第１電流制限値３０は、第２電流制限値３１より大きい値であるから、電流制限値制御部２８は、運転を開始してから所定期間後に、電流制限値を運転開始時の値より小さくしている。また、詳細は図１１に基づいて説明するが、電流制限値制御部２８は、除霜運転終了時にも電流制限値を変更する制御を行う。
【００７６】
なお、電流制限値制御部２８は、第１電流制限値３０および変更期間３２として、記憶部２１に記載された第１電流制限値３０および変更期間３２を直接読み出して、空気調和機６の電流制限値を変更する制御を行ってもよい。
【００７７】
空調制御部２９は、電流制限値制御部２８が決定した電流制限値を適用して空調部２３を制御する。これにより、空調部２３は、動作開始時には第１電流制限値３０で動作し、その後、変更期間３２の経過後、第２電流制限値３１で動作する。
【００７８】
〔空調制御方法〕
本実施形態における空気調和機６の制御方法の一例について、図９〜図１１を参照して説明する。
【００７９】
〔制御例１〕
図９は、空気調和機６が実行する処理（制御方法）の一例を説明するフローチャートである。このフローチャートは、空気調和機６の通常運転開始時における空気調和機６の電流制限値を変更する制御を示している。
【００８０】
この制御において、空気調和機６の通常運転が開始された場合（Ｓ２１）、電流制限値制御部２８は、電流制限値として第１電流制限値３０を用いることを決定し、その値を空調制御部２９へ出力する（Ｓ２２）。
【００８１】
次に、電流制限値制御部２８は、空気調和機６の運転が開始した後、変更期間３２が経過したか否かを判定する（Ｓ２３）。変更期間３２が経過していない場合（Ｓ２３でＮＯ）、電流制限値制御部２８は、この判定を継続する。一方、変更期間３２が経過した場合（Ｓ２３でＹＥＳ）、電流制限値制御部２８は、電流制限値を第１電流制限値３０から第２電流制限値３１へ変更することを決定し、第２電流制限値３１の値を空調制御部２９へ出力する（Ｓ２４、電流制限値制御ステップ）。これにより図示の処理は終了する。
【００８２】
図１０は、空気調和機６の電流制限値の制御の一例を示すグラフである。図１０に示すように、電流制限値制御部２８は、空気調和機６の運転が開始後、変更期間３２が経過した場合、空気調和機６の電流制限値を第１電流制限値３０から第２電流制限値３１に変更する。この例のように、電流制限値は、変更期間３２の経過後の所定期間で連続的に変化させてもよい。また、このような連続的に変化させる期間を設けることなく、変更期間３２の経過時に第２電流制限値３１に即時に切り替えてもよい。
【００８３】
このように、空気調和機６では、運転開始から室内温度が設定温度に近づくまでの一定期間は、快適性を重視し、空気調和機６の電流制限値を大きい値に設定する。また、運転開始後所定時間が経過して、室内温度が設定温度に近づいてからは、経済性を重視し、空気調和機６の電流制限値が小さくなるように、電流制限値を変更する。これにより、空気調和機６の運転開始時における快適性と経済性とを両立させることができる。
【００８４】
〔除霜運転終了後に運転開始する場合の処理〕
図１１は、空気調和機６が実行する処理（制御方法）の他の一例を説明するフローチャートである。このフローチャートは、空気調和機６の除霜運転終了後における空気調和機６の電流制限値を変更する制御を示している。
【００８５】
この制御において、空気調和機６の除霜運転が開始された場合（Ｓ３１）、電流制限値制御部２８は、除霜運転が終了したか否かを判定する（Ｓ３２）。除霜運転が終了していない場合（Ｓ３２でＮＯ）、電流制限値制御部２８は、この判定を継続する。一方、除霜運転が終了した場合（Ｓ３２でＹＥＳ）、電流制限値制御部２８は、電流制限値として第１電流制限値３０を用いることを決定し、その値を空調制御部２９へ出力する（Ｓ３３）。
【００８６】
次に、電流制限値制御部２８は、空気調和機６の除霜運転が終了後、変更期間３２が経過したか否かを判定する（Ｓ３４）。変更期間３２が経過していない場合（Ｓ３４でＮＯ）、電流制限値制御部２８は、この判定を継続する。一方、変更期間３２が経過した場合（Ｓ３４でＹＥＳ）、電流制限値制御部２８は、第２電流制限値３１に切り替えることを決定し、その値を空調制御部２９へ出力する（Ｓ３５、電流制限値制御ステップ）。
【００８７】
このように、空気調和機６では、空気調和機６の空調性能が一時的に低下する除霜運転の終了から室内温度が設定温度に近づくまでの一定期間は、快適性を重視し、空気調和機６の電流制限値を大きくする。また、室内温度が設定温度に近づいてからは、経済性を重視し、空気調和機６の電流制限値を小さくする。これにより、空気調和機６の除霜運転終了時における快適性と経済性とを両立させることができる。
【００８８】
〔電流制限値および変更期間の補正処理〕
図１２は、制限値補正部２６および期間補正部２７における補正処理の一例を示すグラフである。図１２に示すように、電流制限値制御部２８は、外気温度と設定温度の差、または室内温度と設定温度との差が小さい場合、記憶部２１から読み出した第１電流制限値３０が小さくなるように補正する。
【００８９】
上記差が小さい場合、空気調和機６の運転開始から設定温度に到達するまでの所要時間が、上記差が大きい場合よりも短くなる。このため、第１電流制限値３０が小さくなるように補正しても、比較的短時間で室内温度を設定温度に近づけることが可能となる。これにより、空気調和機６の消費電力を抑えつつ、室内を快適な環境にすることができる。
【００９０】
また、期間補正部２７は、外気温度と設定温度の差、または室内温度と設定温度との差が小さい場合、記憶部２１から読み出した変更期間３２が小さくなるように補正する。
【００９１】
上記差が小さい場合、空気調和機６の運転開始から設定温度に到達するまでの所要時間が、上記差が大きい場合よりも短くなる。このため、変更期間３２が小さくなるように補正しても、室内温度を設定温度に近づけることが可能となる。これにより、空気調和機６の消費電力を抑えつつ、室内を快適な環境にすることができる。
【００９２】
〔履歴情報表示処理〕
図１３の（ａ）および（ｂ）は、空気調和機６が端末装置２に表示させる電流制限値に関する履歴情報の一例を示すグラフである。図１３の（ａ）は、空気調和機６において、上述した電流制限値の変更処理を行った場合の履歴情報を示し、図１３の（ｂ）は、上記電流制限値の変更処理を行わなかった場合の履歴情報を示す。
【００９３】
図１３の（ａ）および（ｂ）に示すように、空気調和機６は、電流制限値、電流値、室内温度、および外気温度を含む履歴情報を、サーバ１へ送信して、記憶させる。これらの履歴は、例えばユーザ操作によって閲覧可能になっている。つまり、ユーザは、端末装置２などを使用してサーバ１にアクセスし、空気調和機６の履歴情報を確認することができる。
【００９４】
このように、履歴情報をグラフ化して、ユーザに閲覧可能にすることにより、ユーザは、空気調和機６の快適性と経済性とがどのように変化するのかを確認することができ、電流制限値および変更期間の設定値の目安とすることができる。
【００９５】
〔ソフトウェアによる実現例〕
サーバ１および空気調和機６の制御ブロック（制御部１０に含まれる各部、および制御部２０に含まれる各部）は、集積回路（ＩＣチップ）等に形成された論理回路（ハードウェア）によって実現してもよいし、ＣＰＵ（Central Processing Unit）を用いてソフトウェアによって実現してもよい。
【００９６】
後者の場合、サーバ１および空気調和機６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９７】
〔まとめ〕
本発明の態様１に係る制御装置（サーバ１）は、空気調和機の設置場所（自宅５）から端末装置までの距離に応じて上記空気調和機の動作を制御する制御装置であって、上記端末装置の位置を示す位置情報を取得する位置情報取得部と、  上記位置情報に基づいて算出された上記距離に応じて、上記空気調和機の設定温度、および、空調に用いる電流の上限値である電流制限値の少なくともいずれかを変更する空調制御部と、を備えている構成である。
【００９８】
上記の構成では、空気調和機の設置場所から端末装置までの距離に応じて、空気調和機の設定温度、および、電流制限値の少なくともいずれかを変更する。このため、例えば、端末装置を所持するユーザが、自宅などの空気調和機の設置場所から遠ざかるに応じて、空気調和機の出力が低くなるように設定温度および電流制限値の少なくともいずれかを変更することにより、ユーザが自宅から遠い場所にいる間は、空気調和機の消費電力を抑えることができる。また、ユーザが自宅に近づくに応じて、空気調和機の出力が高くなるように設定温度、電流制限値を変更することにより、室内温度を設定温度に近づけることができる。
【００９９】
したがって、上記の構成によれば、空気調和機の快適性と経済性とを両立させることが可能な制御装置を実現することができる。
【０１００】
また、本発明の態様２に係る制御装置では、上記態様１において、上記空調制御部は、上記距離が第１所定範囲内となったとき、上記空気調和機の運転を開始させ、その後、上記変更を行ってもよい。
【０１０１】
上記の構成によれば、端末装置を所持するユーザが自宅に近づき、自宅からの距離が第１所定範囲内となったときに、空気調和機の運転を自動的に開始させることができる。
【０１０２】
また、本発明の態様３に係る制御装置では、上記態様２において、上記空調制御部は、上記距離が上記第１所定範囲よりも狭い第２所定範囲内となったとき、上記変更を停止し、上記距離が上記第２所定範囲外となったときに上記変更を再開してもよい。
【０１０３】
上記の構成によれば、端末装置を所持するユーザが自宅から出て、第２所定範囲を超えた場合、距離に応じて、設定温度および電流制限値の少なくともいずれかを変更することができる。
【０１０４】
また、本発明の態様４に係る制御装置では、上記態様１〜３において、上記空調制御部は、上記設置場所における外気温度に基づいて、上記設定温度および上記電流制限値の少なくともいずれかを補正してもよい。
【０１０５】
上記の構成によれば、設置場所における外気温度に基づいて、設定温度および電流制限値の少なくともいずれかを補正することにより、天候などに応じて空気調和機をより適切に制御することができる。
【０１０６】
また、本発明の態様５に係る制御装置では、上記態様に２または３おいて、上記空調制御部は、上記距離、および、上記距離が連続して上記第１所定範囲内である期間応じて、上記設定温度および上記電流制限値の少なくともいずれかを変更してもよい。
【０１０７】
上記の構成によれば、端末装置を所持するユーザが自宅に戻るまでの時間に応じて、空気調和機を適切に制御することができる。
【０１０８】
本発明の態様６に係る制御方法は、空気調和機の設置場所から端末装置までの距離に応じて上記空気調和機の動作を制御する制御装置の制御方法であって、上記端末装置の位置を示す位置情報を取得する位置情報取得ステップと、上記位置情報に基づいて算出された上記距離に応じて、上記空気調和機の設定温度、および、空調に用いる電流の上限値である電流制限値の少なくともいずれかを変更する空調制御ステップと、を含んでいる方法である。
【０１０９】
上記の方法によれば、空気調和機の快適性と経済性とを両立させることが可能な空気調和機の制御方法を実現することができる。
【０１１０】
本発明の態様７に係る制御装置は、空気調和機の設置場所から端末装置までの距離に応じて上記空気調和機の動作を制御する制御装置であって、上記端末装置の位置を示す位置情報を取得する位置情報取得部と、上記位置情報に基づいて算出された上記距離が所定範囲内となったとき、上記空気調和機の運転を開始させる空調制御部と、
上記設置場所における外気温度または室内温度と、上記空気調和機の設定温度との差に基づいて、上記所定範囲を補正する範囲補正部（変更制御範囲補正部１５）と、を備えている構成である。
【０１１１】
外気温度と設定温度との差、または室内温度と設定温度との差が相対的に小さい場合、空気調和機の運転開始から設定温度に到達するまでの所要時間は短くなる。このため、このような場合には、上記所定範囲を小さくなるように補正することにより、空気調和機の消費電力を抑えつつ、ユーザの帰宅時に室内を快適な環境にすることができる。
【０１１２】
したがって、上記の構成によれば、空気調和機の快適性と経済性とを両立させることが可能な制御装置を実現することができる。
【０１１３】
本発明の態様８に係る制御方法は、空気調和機の設置場所から端末装置までの距離に応じて上記空気調和機の動作を制御する制御装置の制御方法であって、上記端末装置の位置を示す位置情報を取得する位置情報取得ステップと、上記位置情報に基づいて算出された上記距離が所定範囲内となったとき、上記空気調和機の運転を開始させる空調制御ステップと、上記設置場所における外気温度または室内温度と、上記空気調和機の設定温度との差に基づいて、上記所定範囲を補正する範囲補正ステップと、を含んでいる方法である。
【０１１４】
上記の方法によれば、空気調和機の快適性と経済性とを両立させることが可能な空気調和機の制御方法を実現することができる。
【０１１５】
本発明の態様９に係る空気調和機は、自機の運転を開始してから第１所定期間後に、空調に用いる電流の上限値である電流制限値を、運転開始時の値より小さくする電流制限値制御部を備えている構成である。
【０１１６】
上記の構成では、空気調和機は、運転を開始してから室内温度が設定温度に近づくまでの第１所定期間は、電流制限値が大きくなるように設定する。そして、第１所定期間経過後は、空気調和機の電流制限値が小さくなるように変更する。
【０１１７】
したがって、上記の構成によれば、空気調和機の快適性と経済性とを両立させることが可能な制御装置を実現することができる。
【０１１８】
また、本発明の態様１０に係る空気調和機では、上記態様９において、上記空気調和機が設置されている設置場所における外気温度または室内温度と、上記空気調和機の設定温度との差に基づいて、上記第１所定期間の長さを補正する第１期間補正部をさらに備えていてもよい。
【０１１９】
外気温度と設定温度との差、または室内温度と設定温度との差が相対的に小さい場合、空気調和機の運転開始から設定温度に到達するまでの所要時間は短くなる。このため、このような場合には、第１所定期間の長さを短くなるように補正することにより、空気調和機の消費電力を抑えつつ、室内を快適な環境にすることができる。
【０１２０】
また、本発明の態様１１に係る空気調和機では、上記態様９または１０において、上記空気調和機が設置されている設置場所における外気温度または室内温度と、上記空気調和機の設定温度との差に基づいて、運転開始時の電流制限値を補正する第１制限値補正部をさらに備えていてもよい。
【０１２１】
外気温度と設定温度との差、または室内温度と設定温度との差が相対的に小さい場合、空気調和機の運転開始から設定温度に到達するまでの所要時間は短くなる。このため、このような場合には、運転開始時の制限値補値を小さくするように補正することにより、空気調和機の消費電力を抑えつつ、室内を快適な環境にすることができる。
【０１２２】
また、本発明の態様１２に係る空気調和機では、上記態様９〜１１において、上記電流制限値制御部は、上記空気調和機の除霜運転が終了してから第２所定期間後に、上記電流制限値を、除霜運転終了時の値より小さくしてもよい。
【０１２３】
上記の構成では、空気調和機の除霜運転が終了してから室内温度が設定温度に近づくまでの第２所定期間は、空気調和機の電流制限値が大きくなるように設定する。そして、第２所定期間経過後は、空気調和機の電流制限値が小さくなるように変更する。
【０１２４】
したがって、上記の構成によれば、除霜運転終了後の空気調和機の快適性と経済性とを両立させることができる。
【０１２５】
また、本発明の態様１３に係る空気調和機では、上記態様１２において、上記除霜運転の運転時間の長さに応じて上記第２所定期間の長さを補正する第２期間補正部をさらに備えていてもよい。
【０１２６】
除霜運転の運転時間の長さが相対的に短い場合、除霜運転後から設定温度に到達するまでの所要時間は短くなる。このため、このような場合には、第２所定期間を短くするように補正することにより、空気調和機の消費電力を抑えつつ、室内を快適な環境にすることができる。
【０１２７】
また、本発明の態様１４に係る空気調和機では、上記態様１２または１３において、上記除霜運転の運転時間の長さに応じて、上記第２所定期間内に上記空気調和機の運転を開始する場合の上記電流制限値を補正する第２制限値補正部をさらに備えていてもよい。
【０１２８】
除霜運転の運転時間の長さが相対的に短い場合、除霜運転後から設定温度に到達するまでの所要時間は短くなる。このため、このような場合には、電流制限値を小さくするように補正することにより、空気調和機の消費電力を抑えつつ、室内を快適な環境にすることができる。
【０１２９】
本発明の態様１５に係る制御方法は、空気調和機の制御方法であって、上記空気調和機の運転を開始してから所定期間後に、空調に用いる電流の上限値である電流制限値を、運転開始時の値より小さくする電流制限値制御ステップを含んでいる方法である。
【０１３０】
上記の方法によれば、空気調和機の快適性と経済性とを両立させることが可能な空気調和機の制御方法を実現することができる。
【０１３１】
本発明の各態様に係る制御装置および端末装置は、コンピュータによって実現してもよく、この場合には、コンピュータを上記制御装置または上記端末装置が備える各部（ソフトウェア要素）として動作させることにより上記制御装置または上記端末装置をコンピュータにて実現させる制御装置の制御プログラム、端末装置の制御プログラム、およびそれらの何れかを記録したコンピュータ読み取り可能な記録媒体も、本発明の範疇に入る。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３３】
１    サーバ（制御装置）
２    端末装置
４、６    空気調和機
１２    通信部
１３    位置情報取得部
１６    空調制御部
２６    制限値補正部
２８    電流制限値制御部（第１期間補正部・第２期間補正部）
Ｄ    距離
ｄ    変更制御範囲（所定範囲）
Ｓ１、Ｓ１１    位置情報取得ステップ
Ｓ４  範囲補正ステップ
Ｓ７、Ｓ１４    空調制御ステップ
Ｓ２４、Ｓ３５    電流制限値制御ステップ
【図１】
2018194208.tif 000003
【図２】
2018194208.tif 000004
【図３】
2018194208.tif 000005
【図４】
2018194208.tif 000006
【図５】
2018194208.tif 000007
【図６】
2018194208.tif 000008
【図７】
2018194208.tif 000009
【図８】
2018194208.tif 000010
【図９】
2018194208.tif 000011
【図１０】
2018194208.tif 000012
【図１１】
2018194208.tif 000013
【図１２】
2018194208.tif 000014
【図１３】
2018194208.tif 000015